(57)【要約】【課題】  立体粘土造形物の表面に自分で描いた装飾模様、印刷された装飾模様や写真等を表出させて立体造形と表面装飾が同時に行なえる装飾模様付粘土造形物の制作方法を提供する。【解決手段】  雌型の裏側面を上にして装飾模様紙を敷設してこの紙の上から雌型に粘土を押圧し、雌型から脱型後乾燥させ、粘土表面に紙が貼着され装飾模様紙と粘土が一体となった装飾模様付粘土造形物を作製することによって、立体造形と同時に表面装飾を行なうことのできる装飾模様付粘土造形物の制作が可能であることを見出したのである。雌型の裏側面を上にして敷設する装飾模様紙の模様は、手書きの装飾模様はもちろん印刷された印刷模様や写真でも、この装飾模様が立体粘土造形物の表面に表出させることが可能である。装飾模様紙の厚みは、５〜５０ｇ／ｍ２の範囲が好適である。装飾模様付粘土造形物の粘土は、油粘土、樹脂粘土、紙粘土、陶磁器用粘上等いずれの粘土でも良く、従来、粘土が雌型に付着してしまい容易に離型することができないとされていたいかなる粘土でも使用することを可能としたのである。【選択図】  図１
2005297526.tif 000002
【特許請求の範囲】
【請求項１】
雌型の裏側面を上にして薄口装飾模様紙を敷設してこの紙の上から雌型に粘土を押圧し、雌型から脱型後乾燥させ、粘土表面に紙が貼着され薄口装飾模様紙と粘土が一体となった装飾模様付粘土造形物を作製することを特徴とする装飾模様付粘土造形物の制作方法。
【請求項２】
雌型の裏側面を上にして敷設する薄口装飾模様紙の模様が印刷された印刷模様で、この印刷模様が雄型粘土造形物と一体となり表面に表出することを特徴とする請求項１記載の装飾模様付粘土造形物の制作方法。
【請求項３】
雌型の裏側面を上にして敷設する薄口装飾模様紙が写真をプリントしたもので、この写真が雄型粘土造形物と一体となり表面に表出することを特徴とする請求項１記載の装飾模様付粘土造形物の制作方法。
【請求項４】
薄口装飾模様紙の厚みが５〜５０ｇ／ｍ２の範囲であることを特徴とする請求項１記載の装飾模様付粘土造形物の制作方法。
【発明の詳細な説明】
【技術分野】
【０００１】  本発明は、薄口装飾模様紙と雌型を使い、立体粘土造形物の表面に自分で描いた装飾模様、印刷された装飾模様や写真等を表出させて立体造形と表面装飾が同時に行なえる装飾模様付粘土造形物の制作方法に関するものである。
【背景技術】
【０００２】  本出願人は、各種の造形教育材料として定評のあるオークレイ、フォルモ、クレア等と言う商品名で、多くの粘土製品を効果的な造形、色彩学習に提供し、更にホビー材料として人形専用粘土、造花専用粘土、多目的の超軽量粘土などの研究開発を行ない多彩な製品展開を成し遂げている。例えば、特願２００２−３８２０５９、特願２００３−１１７６１４等において、粘土を用いて手工芸用として容易に作製することのできる子供の手形或いは足形又はペットの手形或いは足形等を、実物と同様の雄型で提供することのできる手形或いは足形の製造方法に関する技術を開示している。【０００３】  特開２００２−１０４８６８公報に於て、安全性に優れると共に、簡易且つ明瞭な手形や足形の採取が可能な粘土粗生物が開示されている。しかし単に適度な押圧を加えて手形や足形を採取することのできる粘土組成物に付いて述べているのみで、立体造形と表面装飾を同時に行なうことのできる技術については未開示である。【０００４】  特開２００２−３１１８１４公報に於て、油粘土、樹脂粘土、紙粘土等を使用して教材用模型の作製方法及び教材用模型に関する技術が開示されている。しかし本公報に係る教材用模型の作製方法は、模型を描写したテンプレートを作製し、このテンプレートを基準に各種の粘土で造形し、その後この表面にコート処理するものであり、立体造形と表面装飾を同時に行なうことのできる技術については未開示である。
【発明の開示】
【発明が解決しようとする課題】
【０００５】  本発明は、このような課題に鑑み発明されたものであって、従来粘土の立体造形物の表面に色付け、模様、書き込み等を行ない装飾を施す場合、粘土の立体造形物を成形し、乾燥後粘土用のペイントを用いて色付け等を行なっていた。このため完成した粘土の立体造形物に手書きで色付け等をしなければならないなど装飾技法の自由度が狭かった。このような色付け、模様、書き込み等を予め紙にしておき、この紙が粘土の離型紙としての働きをすると共に、立体造形と同時に装飾をも行なうことのできる技術はは従来存在しなかった。しかも予め紙に色付け、模様、書き込み等手書きで行なうのみでなく、印刷することや写真による焼き付け等でもできる様な装飾技法の自由度を大幅に拡大することが望まれていたのである。又雌型に粘土を押圧して立体粘土造形物を作製する場合、大半の粘土が雌型に付着してしまい容易に離型することができない、離型の容易にできる粘土でなければ使用することができなかった。例えば代表的な紙粘土、石粉系粘土、油粘土、炭カルを中心にした粘土等は離型性が悪く型から取ることができなかった。雌型の細工を微細にすればするほど粘土の離型性は悪くなり、雌型に粘土を押圧して立体粘土造形物を作製することは困難であった。本発明は、係る要請に答えることのできるもので、一般では難しいとされる完成度の高い作品を、子供やシルパーの方々まで簡単、短時間で制作することができ、繊細な立体造形物を容易且つ正確に作製し、しかも立体造形と同時に表面装飾を行なうことのできる装飾模様付粘土造形物の制作方法を提供するものである。
【課題を解決するための手段】
【０００６】  上記のごとき課題を解決するため鋭意技術開発を行なった結果、雌型の裏側面を上にして薄口装飾模様紙を敷設してこの紙の上から雌型に粘土を押圧し、雌型から脱型後乾燥させ、粘土表面に紙が貼着され薄口装飾模様紙と粘土が一体となった立体粘土造形物を作製することによって、立体造形と同時に表面装飾を行なうことのできる装飾模様付粘土造形物の制作が可能であることを見出したのである。雌型の裏側面を上にして敷設する薄口装飾模様紙の模様は、手書きの装飾模様はもちろん印刷された印刷模様や写真でも、この薄口装飾模様が立体粘土造形物の表面に表出させることが可能である。薄口装飾模様紙の厚みは、２〜２０ｇ／ｍ２の範囲が好適である。装飾模様付粘土造形物の粘土は、油粘土、樹脂粘土、紙粘土、陶磁器用粘土等いずれの粘土でも良く、雌型と粘土の間に薄口装飾模様紙をはさむことによって離型性が高まり、従来、粘土が雌型に付着するため容易に離型することができないとされていたいかなる粘土でも使用することを可能としたのである。【０００７】  本願発明に使用する雌型は、立体造形となる雄型粘土造形物を形成することのできるものであれば良く、その材質はプラスチック、発泡プラスチック、木、石膏、アルミニウムなどいずれも使用することができる。【０００８】  雌型の裏側面を上にして敷設する薄口装飾模様紙は、立体粘土造形物の表面装飾を行なうと共に雌型から粘土を容易に離型させることのできる離型紙としての効果を有するものである。薄口装飾模様紙は表面に各種の模様を手書き、印刷、写真の焼き付け等ができるものであり、微細な雌型であっても雌型全体に隙間無く敷設することができ、粘土の離型の際に粘土に完全に密着して貼着すると共に、粘土が乾燥しても装飾模様付粘土造形物から剥離しない。粘土自体にパルプ繊維と糊成分が含まれていることで、薄口装飾模様紙が乾燥前の粘土の水分にしっかりと貼着し違和感無く一体化する。更に透明の薄口装飾模様紙を使用しカラー粘土を使用することにより、複合的な表現方法も可能である。【０００９】  薄口装飾模様紙として使用することのできる紙の厚みは、ｍ２当たり５〜５０ｇの範囲のものが好適である。あまり厚い紙では繊細な雌型の隅々にまで均等に紙を敷設することができないからである。【００１０】  紙は大きく分けて「紙」と段ボールなどの材料になる「板紙」に分けられ、「紙」は用途によって「印刷・情報用紙」、「包装用紙」、「衛生用紙」、「雑種紙」の四種類に分けることができる。本発明に於て使用することのできる紙は薄いものでなければならず、四種類に分類した中で「衛生用紙」の範畴に属するものであり、例えばティシュペーパー、化粧用紙、紙タオル、ナプキン等で、これらは薄口紙が何枚か重ね合わされているものであり、これらを剥離して１枚のみ使用する。【００１１】  薄口装飾模様紙は薄いものであるため、これに直接手書きで模様等を書き込むことはできるが、模様を印刷したり写真を焼き付けしたりする場合は、貼着及び剥離の容易にできる台紙の上に紙を貼着し、この上から印刷模様を印刷したり写真を焼き付けし、台紙から剥離して使用する。即ち、コピー用紙ほどの厚紙に貼着及び剥離が容易にできるマルチ糊剤を塗って、薄口装飾模様紙を貼着し印刷或いは写真の焼き付けを行ない厚紙から剥離して使用する。又薄口装飾模様紙が１枚では薄いため印刷等ができない場合は、これを２〜３枚重ね合わせて厚くして印刷等をし、使用する場合にこれを剥離して印刷等のされている面を１枚使用することもできる。写真の焼き付けは、デジカメで写真を撮りパソコンを用いて容易に焼き付けることができる。
【発明の効果】
【００１２】  従来雌型に粘土を押圧して立体粘土造形物を制作することは、粘土の種類によって離型性に多少の違いはあるが、雌型に粘土が付着して完全に離型することができず、微細な形状の造形物を作製することは至難であった。本発明になる装飾模様付粘土造形物の制作方法に於ては、粘土の如何を問わずいかなる種類の粘土を使用しても雌型の裏側面を上にして薄口装飾模様紙を敷設してこの紙の上から雌型に粘土を押圧し、雌型から脱型後乾燥させ、粘土表面に紙が貼着され薄口装飾模様紙と粘土が一体となった装飾模様付粘土造形物を作製することによって、立体造形と同時に表面装飾を行なうことのできる装飾模様付粘土造形物の制作が可能となった。雌型の裏側面を上にして敷設する薄口装飾模様紙の模様は、手書きの装飾模様はもちろん印刷された印刷模様や写真でも、この装飾模様が立体粘土造形物の表面に表出させることができた。装飾模様付粘土造形物の粘土は、油粘土、樹脂粘土、紙粘土、石粉粘土、陶磁器用粘土等いずれの粘土でも良く、従来、粘土が雌型に付着してしまい容易に離型することができないとされていたいかなる粘土でも使用することを可能としたのである。【００１３】  本発明は、薄紙の薄口装飾模様紙を雌型の裏側面を上にして敷設することによって、雌型と粘土との離型紙として優れた効果を示すばかりでなく、更に装飾模様付粘土造形物の一体造形と表面化粧という二重の効果を合わせ有するものであることを示すことができたのである。
【発明を実施するための最良の形態】
【００１４】  本発明を実施する場合、使用する雌型はオレフィン系プラスチックを成形したものが好ましく、その形態は立体造形、オブジェ、キーホルダー、ストラップ、ブローチ、フォトフレーム、立体絵葉書等の用途として使用できるものが好適である。【００１５】  薄口装飾模様紙として使用する紙の厚みは、ｍ２当たり２〜２０ｇの範囲のものが好適である。あまり厚い紙では繊細な雌型の隅々にまで均等に紙を敷設することができないからである。紙の種類は、「衛生用紙」の範畴に属するものであり、例えばティシュペーパー、化粧用紙、紙タオル、ナプキン等であり、これらは薄口紙を何枚か重ね合わせて構成されているので、これらを剥離して完全に１枚として使用する。【００１６】  装飾模様付粘土造形物の粘土は、油粘土、樹脂粘土、紙粘土、石粉粘土、陶磁器用粘土等いずれの粘土でも良いが、軽量の装飾模様付粘土造形物を制作する場合は、粘土の構成粗成物としてガラスマイクロバルーン或いは／又はプラスチックバルーンの一種又は二種含有する粘土を使用する。粘土は乾燥して硬化するものが好ましい。
【実施例】
【００１７】  本発明の実施例を図面をもとにして詳述する。【００１８】  実施例１  図１は、本発明の制作手順を示したもので、裏側面を上にしたプラスチック製の貝の雌型、その上に敷設する装飾模様紙、雌型に埋め押圧するための粘土を示したものである。図２は雌型に装飾模様紙を敷設して雌型を粘土で埋めて粘土を押圧している状態を示したものである。この装飾模様紙を透明にしたと仮定した場合の想像図が図３である。雌型から粘土を離型させ自然乾燥させて粘土を固めている状態が図４である。装飾模様紙は離型紙として優れた効果があり雌型に埋め込まれた粘土は、微細な形状を有するの粘土造形物を完全に離型することができた。図５は粘土が乾燥硬化した後、装飾模様紙を裏返しにした状態である。【００１９】  図６は、裏返しにした装飾模様紙の粘土が完全に固まった時点で、鋏を使い余分な装飾模様紙及び粘土を切り取っている状態を示したものである。完成した貝の形をした装飾粘土造形物を図７に示した。更にこの貝の形をした装飾粘土造形物をネックレスのトップ素材として利用したのが図８である。【００２０】  本実施例に於て使用した貝の雌型は、ポリオレフィン系プラスチックを真空成形したものである。装飾模様紙は、一般にレストラン等で使用されているナプキンに装飾模様を印刷して、印刷された表面の１枚を剥離して使用した。装飾模様紙の重量は１２．５ｇ／ｍ２である。粘土は、粒度が１００μｍ以下の３Ｍ社製ガラスマイクロバルーンを５５重量部、繊維長が３ｍｍ以下である粉末パルプを２０重量部、水溶性合成糊剤としてカルボキシルメチルセルロースを１５重量部、及び水を１５０〜２００重量部加えて混練りし作製した。乾燥硬化後の貝の装飾粘土造形物の比重は０．８以下の軽量なものであった。【００２１】  実施例２  図９は、フォトフレームの制作手順を示したもので、裏側面を上にしたプラスチック製のフォトフレームの額の部分の雌型、その上に敷設する装飾模様紙、雌型に埋め押圧するための粘土を示したものである。図１０は雌型に装飾模様紙を敷設して雌型を粘土で埋めて粘土を押圧している状態を示したものである。この装飾模様紙を透明にしたと仮定した場合の想像図が図１１である。雌型から粘土を離型させ自然乾燥させて粘土を固めている状態が図１２である。装飾模様紙は離型紙として優れた効果があり雌型に埋め込まれた粘土は、微細な形状を有するの粘土造形物を完全に離型することができた。図１３は粘土が乾燥硬化した後、装飾模様紙を裏返しにした状態である。【００２２】  図１４は、裏返しにした装飾模様紙の粘土が完全に固まった時点で、鋏を使い余分な装飾模様紙及び粘土を切り取っている状態を示したものである。完成したフォトフレームの額の部分の装飾粘土造形物と木製のフォトフレーム本体を図１５に示した。フォトフレームの額の部分の装飾粘土造形物と木製のフォトフレーム本体を工作用接着剤で貼付けて完成したフォトフレームを図１６に示した。【００２３】  実施例２に於て使用したフォトフレームの雌型も実施例１と同様、ポリオレフィン系プラスチックを真空成形したものである。装飾模様紙も実施例１と同様、一般にレストラン等で使用されているナプキンに実施例１とは異なる装飾模様を���刷して、印刷された表面の１枚を剥離して使用した。装飾模様紙の重量は１２．５ｇ／ｍ２である。粘土も実施例１と同様、粒度が１００μｍ以下の３Ｍ社製ガラスマイクロバルーンを５５重量部、繊維長が３ｍｍ以下である粉末パルプを２０重量部、水溶性合成糊剤としてカルボキシルメチルセルロースを１５重量部、及び水を１５０〜２００重量部加えて混練りし作製した。乾燥硬化後のフォトフレームの額の部分の装飾粘土造形物の比重は、実施例１と同様０．８以下の軽量なものであった。
【産業上の利用可能性】
【００２４】  本発明になる装飾模様付粘土造形物の制作方法の技術は、従来極めて困難とされていた雌型に粘土が付着して離型しにくいという問題を解決したばかりでなく、立体造形と表面装飾を同時一体に行なうことができ、一般では困難とされていた完成度の高い作品を小さな子供やシルバーの方々まで簡単、容易、且つ短時間で制作することができるようになり。多くの粘土製品を効果的な造形、色彩学習更にホビー材料として広く利用することを可能ならしめたのである。
【図面の簡単な説明】
【００２５】
【図１】    実施例１の貝の制作手順を示したものである。
【図２】    雌型の裏側面を上にして装飾模様紙を敷設し粘土を押圧している状態。
【図３】    装飾模様紙を透明にしたと仮定した場合の想像図。
【図４】    雌型から粘土を離型させた状態。
【図５】    図４を裏返しにした状態。
【図６】    図５の余分な粘土と装飾模様紙を切り取っている状態。
【図７】    完成した貝の装飾模様付粘土造形物。
【図８】    貝の装飾模様付粘土造形物をネックレスの素材として利用した作品。
【図９】    実施例２のフォトフレームの額の制作手順を示したものである。
【図１０】    雌型の裏側面を上にして装飾模様紙を敷設し粘土を押圧している状態。
【図１１】    装飾模様紙を透明にしたと仮定した場合の想像図。
【図１２】    雌型から粘土を離型させた状態。
【図１３】    図１２を裏返しにした状態。
【図１４】    図１３の余分な粘土と装飾模様紙を切り取っている状態。
【図１５】    完成したフォトフレームの額の部分と木製フォトフレーム本体
【図１６】    フォトフレームの完成図
【符号の説明】
【００２６】  １．粘土
２．装飾模様紙１
３．貝の雌型
４．押圧状態
５．装飾模様紙と粘土が一体となった状態の裏側
６．装飾模様紙と粘土が一体となった状態の表側
７．鋏
８．貝の装飾模様付粘土造形物
９．ネックレス
１０．装飾模様紙２
１１．フォトフレームの額の部分の雌型
１２．フォトフレームの額の部分
１３．木製のフォトフレーム本体
１４．フォトフレーム
【図１】
2005297526.tif 000003
【図２】
2005297526.tif 000004
【図３】
2005297526.tif 000005
【図４】
2005297526.tif 000006
【図５】
2005297526.tif 000007
【図６】
2005297526.tif 000008
【図７】
2005297526.tif 000009
【図８】
2005297526.tif 000010
【図９】
2005297526.tif 000011
【図１０】
2005297526.tif 000012
【図１１】
2005297526.tif 000013
【図１２】
2005297526.tif 000014
【図１３】
2005297526.tif 000015
【図１４】
2005297526.tif 000016
【図１５】
2005297526.tif 000017
【図１６】
2005297526.tif 000018
【手続補正書】
【提出日】平成16年5月31日(2004.5.31)
【手続補正１】
【補正対象書類名】特許請求の範囲
【補正対象項目名】請求項４
【補正方法】変更
【補正の内容】
【請求項４】
薄口装飾模様紙の重量が５〜５０ｇ／ｍ２の範囲であることを特徴とする請求項１記載の装飾模様付粘土造形物の制作方法。
【手続補正２】
【補正対象書類名】明細書
【補正対象項目名】０００６
【補正方法】変更
【補正の内容】
【０００６】  上記のごとき課題を解決するため鋭意技術開発を行なった結果、雌型の裏側面を上にして薄口装飾模様紙を敷設してこの紙の上から雌型に粘土を押圧し、雌型から脱型後乾燥させ、粘土表面に紙が貼着され薄口装飾模様紙と粘土が一体となった立体粘土造形物を作製することによって、立体造形と同時に表面装飾を行なうことのできる装飾模様付粘土造形物の制作が可能であることを見出したのである。雌型の裏側面を上にして敷設する薄口装飾模様紙の模様は、手書きの装飾模様はもちろん印刷された印刷模様や写真でも、この薄口装飾模様が立体粘土造形物の表面に表出させることが可能である。薄口装飾模様紙の重量は、５〜５０ｇ／ｍ２の範囲である。装飾模様付粘土造形物の粘土は、油粘土、樹脂粘土、紙粘土、陶磁器用粘土等いずれの粘土でも良く、雌型と粘土の間に薄口装飾模様紙をはさむことによって離型性が高まり、従来、粘土が雌型に付着するため容易に離型することができないとされていたいかなる粘土でも使用することを可能としたのである。
【手続補正３】
【補正対象書類名】明細書
【補正対象項目名】０００９
【補正方法】変更
【補正の内容】
【０００９】  薄口装飾模様紙として使用することのできる紙の重量は、ｍ２当たり５〜５０ｇの範囲である。あまり厚い紙では繊細な雌型の隅々にまで均等に紙を敷設することができないからである。
【手続補正４】
【補正対象書類名】明細書
【補正対象項目名】００１５
【補正方法】変更
【補正の内容】
【００１５】  薄口装飾模様紙として使用する紙の重量は、ｍ２当たり５〜５０ｇの範囲のものがより好適である。あまり厚い紙では繊細な雌型の隅々にまで均等に紙を敷設することができないからである。紙の種類は、「衛生用紙」の範畴に属するものであり、例えばティシュペーパー、化粧用紙、紙タオル、ナプキン等であり、これらは薄口紙を何枚か重ね合わせて構成されているので、これらを剥離して完全に１枚として使用する。